(57)【要約】【課題】使用者が、テスト穿刺することなく確実に採血可能なレーザ穿刺装置およびレーザ穿刺方法を提供する。【解決手段】穿刺キャップ７は中空体１３をベースとした形状であり、本体側の開口には集光レンズ保護フィルム６が装着されている。この集光レンズ保護フィルム６は、レーザ穿刺時に皮膚から蒸発した組織片が集光レンズ１２に付着して集光レンズ１２を汚染するのを防ぐ役割がある。穿刺のために人の指に当てる部分には開口が設けられており、穿刺フィルム８が装着されている。そして、その周囲を囲むように水分量測定用のセンサー電極２１が設置されている。穿刺キャップ７は、センサー電極２１が中空体１３に固定されており、その表面を絶縁物であるガラスでコートされている。なお、接続部１４は、センサー電極２１と装置本体２を電気的に接続する。【選択図】図２
2008194345.tif 000002
【特許請求の範囲】
【請求項１】
皮膚にレーザ光を照射することにより穿刺を行なうレーザ穿刺装置であって、
皮膚の水分量を計測する水分量測定用センサーで計測した皮膚の水分量に応じて、前記レーザパルス光のエネルギーを調整する調整手段を備えるレーザ穿刺装置。
【請求項２】
請求項１記載のレーザ穿刺装置であって、
前記水分量測定用センサーを備えるレーザ穿刺装置。
【請求項３】
請求項２記載のレーザ穿刺装置であって、
前記水分量測定用センサーは、前記レーザ穿刺装置本体の表面に設置され、皮膚の水分量を計測するためのセンサー電極を備えるレーザ穿刺装置。
【請求項４】
請求項１記載の穿刺装置であって、
前記水分量測定用センサーを有する穿刺キャップを脱着可能に保持する保持手段を備え、
前記穿刺キャップは、
両端に開口部を有する中空体と、
前記両端の開口部のそれぞれを塞ぐように設けた第一及び第二のフィルムと、
を有し、
前記第一のフィルムは、前記レーザ光を透過させ、かつ、前記レーザ光を吸収して穿孔されるものであり、
前記第二のフィルムは、前記レーザ光を吸収することなく透過させるものであり、
前記水分量測定用センサーは、前記第一のフィルムと同一平面上に配置され、皮膚の水分量を計測するためのセンサー電極を有するものであるレーザ穿刺装置。
【請求項５】
請求項１記載のレーザ穿刺装置であって、
使用者の属性を入力する設定ボタンを備え、
前記調整手段は、前記設定ボタンから入力された属性に応じて、前記レーザパルス光のエネルギーを調整するものであるレーザ穿刺装置。
【請求項６】
請求項１記載のレーザ穿刺装置であって、
外気の湿度を測定する湿度センサーを備え、
前記調整手段は、前記湿度センサーで計測した外気の湿度に応じて、前記レーザパルス光のエネルギーを調整するものであるレーザ穿刺装置。
【請求項７】
皮膚にレーザ光を照射することにより穿刺を行なうレーザ穿刺方法であって、
皮膚の水分量を計測するステップと、
計測した皮膚の水分量に応じて、前記レーザパルス光のエネルギーを調整するステップとを有するレーザ穿刺方法。
【発明の詳細な説明】
【技術分野】
【０００１】
本発明は、生体の皮膚をレーザ光により穿刺するレーザ穿刺装置およびレーザ穿刺方法に関する。
【背景技術】
【０００２】
図９は、従来のレーザ穿刺装置であり、１０１が共振器、１０２が本体、１０３がコントローラ（電源）、１０４がレンズフード、１０５が集光レンズ、１０６が台、１０７が指、１０８が係止体である。共振器１０１が発振するレーザ光は、レーザ波長が１．５〜３μｍのパルス光で、パルス光の幅が１００〜３００μｓであり、パルス光エネルギーが１〜１．５Ｊである。
【０００３】
レーザ光はレンズフード１０４に納められた集光レンズ１０５で集光され、指１０７の皮膚上で集光径が０．５〜３ｍｍとなるようにしてある。被採血者は、指１０７を台１０６の上に置き、係止体１０８に押し当てて位置を固定する。共振器１０１は、コントローラ１０３からの電力でレーザ光を発振する。レーザ光は集光レンズ１０５で集光されて、指１０７の皮膚に微小な傷を付ける。そしてその傷から、血を滲み出させて採血を行っている（例えば特許文献１参照）。
【０００４】
【特許文献１】特開平０４−３１４４２８号公報
【発明の開示】
【発明が解決しようとする課題】
【０００５】
しかしながら、従来のレーザ穿刺装置においては、集光径やレーザパルス光の時間幅は画一的に設計できるが、レーザパルス光エネルギーは、確実な採血を可能にするための最適な条件が使用者毎に異なるため、可変幅を設けておき、使用者が個別に設定する構成となっていた。このため、使用者はまず、自分が採血可能なレーザパルス光エネルギーを探すために、テストレーザ穿刺をしなければならず、１回のレーザ穿刺では採血できなかった。また、一度探した条件も経時的に日々変化するのでその都度条件を探さなければならなかった。
【０００６】
本発明は、上記従来の事情に鑑みてなされたものであって、使用者がテスト穿刺することなく確実に採血可能なレーザ穿刺装置およびレーザ穿刺方法を提供することを目的としている。
【課題を解決するための手段】
【０００７】
本発明に係るレーザ穿刺装置は、皮膚にレーザ光を照射することにより穿刺を行なうレーザ穿刺装置であって、皮膚の水分量を計測する水分量測定用センサーで計測した皮膚の水分量に応じて、前記レーザパルス光のエネルギーを調整する調整手段を備える。
【０００８】
上記構成によれば、皮膚の水分量に応じた適切なレーザパルス光のエネルギーを設定することができるため、テスト穿刺したりレーザパルス光の設定を使用者が自ら行なうことなく、個人差および日々の変動、および時間的変動に応じて、痛みが少なく確実な採血を行なうことができる。
【０００９】
また、本発明に係るレーザ穿刺装置は、前記水分量測定用センサーを備える。また、本発明に係るレーザ穿刺装置は、前記水分量測定用センサーが、前記レーザ穿刺装置本体の表面に設置され、皮膚の水分量を計測するためのセンサー電極を備える。
【００１０】
上記構成によれば、皮膚の水分量を計測するためのセンサー電極がレーザ穿刺装置本体の表面に設置されるので、皮膚の水分量を簡単に測定することができる。
【００１１】
また、本発明に係るレーザ穿刺装置は、前記水分量測定用センサーを有する穿刺キャップを脱着可能に保持する保持手段を備え、前記穿刺キャップが、両端に開口部を有する中空体と、前記両端の開口部のそれぞれを塞ぐように設けた第一及び第二のフィルムと、を有し、前記第一のフィルムが、前記レーザ光を透過させ、かつ、前記レーザ光を吸収して穿孔されるものであり、前記第二のフィルムが、前記レーザ光を吸収することなく透過させるものであり、前記水分量測定用センサーが、前記第一のフィルムと同一平面上に配置され、皮膚の水分量を計測するためのセンサー電極を有するものである。
【００１２】
上記構成によれば、穿刺キャップが皮膚の水分量を計測するためのセンサー電極を備えるので、使用毎に穿刺キャップを交換することにより、簡便かつ使用時の感染の恐れなく、確実に採血を行なうことができる。
【００１３】
また、本発明に係るレーザ穿刺装置は、使用者の属性を入力する設定ボタンを備え、前記調整手段が、前記設定ボタンから入力された属性に応じて、前記レーザパルス光のエネルギーを調整するものである。
【００１４】
上記構成によれば、設定ボタンから入力された年齢、性別、人種または肌質といった使用者の属性に応じて、レーザパルス光のエネルギーを調整するので、皮膚の状態に応じて最適なレーザパルス光エネルギーを設定することができ、痛みが少なく確実な採血を行なうことができる。
【００１５】
また、本発明に係るレーザ穿刺装置は、外気の湿度を測定する湿度センサーを備え、前記調整手段が、前記湿度センサーで計測した外気の湿度に応じて、前記レーザパルス光のエネルギーを調整するものである。
【００１６】
上記構成によれば、皮膚の水分量に密接に関連している外気の湿度に応じてレーザパルス光エネルギーを調整するので、採血に適切な最小限のレーザパルス光エネルギーをより正確に設定することができる。
【００１７】
また、本発明に係るレーザ穿刺方法は、皮膚にレーザ光を照射することにより穿刺を行なうレーザ穿刺方法であって、皮膚の水分量を計測するステップと、計測した皮膚の水分量に応じて、前記レーザパルス光のエネルギーを調整するステップとを有する。
【００１８】
上記構成によれば、皮膚の水分量に応じた適切なレーザパルス光のエネルギーを設定することができるため、テスト穿刺したりレーザパルス光の設定を使用者が自ら行なうことなく、個人差および日々の変動、および時間的変動に応じて、痛みが少なく確実な採血を行なうことができる。
【発明の効果】
【００１９】
本発明によれば、皮膚の水分量に応じた適切なレーザパルス光のエネルギーを設定することができるため、テスト穿刺したりレーザパルス光の設定を使用者が自ら行なうことなく、個人差および日々の変動、および時間的変動に応じて、痛みが少なく確実な採血を行なうことができる。
【発明を実施するための最良の形態】
【００２０】
本発明の実施形態の説明に先立ち、まず、本発明に至った経過について説明する。レーザパルス光によるレーザ穿刺は、対象とする皮膚の表皮を貫通し真皮内の真皮乳頭内の毛細血管を損傷させ、毛細血管より血液を滲ませ表皮の孔を通して皮膚外に血液を滲ませている。また、皮膚へのレーザパルス光によるレーザ穿刺は、レーザパルス光エネルギーの皮膚への吸収により皮膚が加熱し蒸発することで達成される。
【００２１】
皮膚の主成分は水であり、レーザパルス光の波長は水の吸収係数が高いものが選択される。例えばＥｒ：ＹＡＧ固体レーザ媒質を用いた２．９４μｍの波長が最も効率的に水に吸収され、最も低レーザパルス光エネルギーで穿刺が可能である。
【００２２】
このため、レーザ穿刺に必要なレーザパルス光エネルギーの個人差を形成する要因として、皮膚とりわけ表皮の厚さ、表皮の水分量があげられる。一般的に、表皮の厚さは加齢と共に厚くなっていき、女性よりも男性の方が厚く、皮膚の色と表皮の厚さには黒が最も厚く、次に黄、白の関係がある。また、指先の使用頻度とも相関があり指先を使う音楽家やスポーツ選手では、一般の人よりも厚い。
【００２３】
さらに、表皮の水分量も表皮の厚さと負の相関があるが、表皮の厚さ以上にランダムな個人差が存在する。また、表皮の最表面の水分量は外気の湿度とバランスされるため、日々変動や日内変動がある。
【００２４】
また発明者の検討の結果、従来のレーザ穿刺装置よりも非常に小さい集光径（＜φ０．１５ｍｍ）でレーザ穿刺を行なう場合、個人差として表皮の厚さよりも水分量の方が影響の大きいことが判明した。例えば、集光径φ０．５ｍｍではレーザ穿刺に必要なレーザパルス光エネルギーで約二倍の差があったのに対して、集光径φ０．１５ｍｍではほとんど差が見られないことが判明した。表皮の厚さは定量化していないもの大きな差があることは分かっており、ただし表皮の水分量には差がなかった。
【００２５】
以上の検討の結果、本発明の実施形態にかかるレーザ穿刺装置は、使用者の皮膚と接する穿刺キャップに水分量測定用センサーを具備するように構成する。これにより、穿刺箇所の水分量を穿刺前に計測することが出来る。また、事前に年齢・性別・人種・肌質（厚い・硬い・薄い・柔らかい）といった使用者の属性を入力する。
【００２６】
また、年齢・性別・人種・肌質のデータより、レーザ穿刺装置内のメモリに格納されたレーザパルス光エネルギー設定パラメータと比較して設定値を与えて、確実な採血を可能とする。
【００２７】
さらに、レーザ穿刺装置内または表面に湿度センサーを配置して、外気の湿度を測定して設定値を決定することも可能である。なお、水分量を測定するセンサーは穿刺ヘッド以外のレーザ穿刺装置の表面に配置されていても良い。
【００２８】
図１は、本発明の実施形態にかかるレーザ穿刺装置１の概略図である。本実施形態のレーザ穿刺装置１は、本体２と、動作電源を含むレーザ発振器９と、集光レンズ１２と、穿刺キャップ７と、制御基板１１と、電池１０と、動作スイッチ５と、設定ボタン４と、ディスプレー３から構成され、電池１０と制御基板１１およびレーザ発振器９、制御基板１１とレーザ発振器９、設定ボタン４、ディスプレー３および動作スイッチ５は、電気的および信号的に接続されている。穿刺キャップ７には、水分量測定用のセンサーが設置されており、制御基板１１と穿刺キャップ７を介して接続されている。
【００２９】
図２は、本発明の実施形態のレーザ穿刺装置１において、水分量測定用センサーが設置された穿刺キャップ７の概略図である。穿刺キャップ７は中空体１３をベースとした形状であり、本体側の開口には集光レンズ保護フィルム６が装着されている。この集光レンズ保護フィルム６は、レーザ光を吸収することなく透過させるものであり、レーザ穿刺時に皮膚から蒸発した組織片が集光レンズ１２に付着して集光レンズ１２を汚染するのを防ぐ役割がある。
【００３０】
集光レンズ保護フィルム６の基材には、ナイロン、ポリエステル、ポリイミド、フッ素系、塩化ビニル、ポリエチレン、ポリオレフィン、ポリビニルアルコール、ポリプロピレン等が利用可能である。
【００３１】
穿刺のために人の指に当てる部分には開口が設けられており、穿刺フィルム８が装着されている。穿刺フィルム８は、レーザ光を透過させ、かつ、このレーザ光を吸収して穿孔されるものである。そして、その周囲を囲むように水分量測定用のセンサー電極２１が設置されている。穿刺キャップ７は、センサー電極２１が中空体１３に固定されており、その表面を絶縁物であるガラスでコートされている。なお、接続部１４は、センサー電極２１と装置本体２とを電気的に接続する。なお、接続部１４は、中空体１３の外周面または内周面に設けることが可能である。
【００３２】
この穿刺キャップ７を皮膚にあてがうと、表皮の特に角質層を誘電体としたコンデンサを形成する。このコンデンサの静電容量は誘電体である皮膚の誘電率によって決定されるが、この誘電率は皮膚の水分量によって大きく変化する。これは、水の比誘電率は８０程度あり、角質層を形成する他の物質、たとえばたんぱく質の誘電率１．５程度に比較して大きいためである。よって、静電容量は皮膚の水分量を顕著に反映し、肌の水分量が変化すると静電容量の値が大きく変化する。
【００３３】
図３（ａ）は、穿刺キャップ７を肌にあてがった状態の断面図である。穿刺キャップ７の先端には、センサー電極２１が基板に固定されており、その表面を絶縁物であるガラスでコートされている。この穿刺キャップ７を肌にあてがうと、同図のようにセンサー電極２１が直接肌に触れず、絶縁物であるガラスを介して触れることになる。
【００３４】
一方、被測定者の肌は、表面から皮脂層２６、角質層２７、表皮２８の順に層をなしている。センサー電極２１を肌にあてがうと、同図に示すＣのように角質層２７を誘電体としたコンデンサを形成する。このコンデンサの静電容量Ｃは誘電体である肌の誘電率によって決定されるが、この誘電率は肌の水分量によって大きく変化する。
【００３５】
静電容量検出手段は、静電容量と抵抗値で決まる周波数で矩形波を発生し、この発振周波数の変化としてとらえることで皮膚の水分量に変換することが出来る。図３（ｂ）は、静電容量Ｃの変化をとらえるための静電容量検出手段について説明するための概略のブロック図である。
【００３６】
同図において特に静電容量を検出するための部分は具体的な回路構成例を示している。同図中のＣがセンサー電極２１間の静電容量であり、肌の水分量によって変化するので可変コンデンサとして記載している。この回路は一般的に知られたＣ−ＭＯＳのＮＯＲゲートで構成されたマルチバイブレータである。
【００３７】
この回路はＣとＲで決まる周波数で矩形波を発生することができる。このことにより静電容量Ｃの変化を、発振周波数の変化としてとらえるように回路を構成している。この矩形波信号を肌水分量計算手段としてのマイクロコンピュータ１９に入力し、マイクロコンピュータ１９はこの周波数を肌の水分量に換算しメモリ２０に記憶する。そして、マイクロコンピュータ１９は、水分量に応じたレーザパルス光エネルギーを調整する。
【００３８】
また穿刺キャップ７は、正確な水分量測定のために、バネで押し出された状態で設置されており、押し込むことによって水分量の測定が可能になるように設計されている。この機構は、レーザ穿刺装置１のインターロックと連結しており、集光レンズ１２と指の皮膚間の距離を正確に再現性高く実現できるようになっている。なお、穿刺キャップ７は、穿刺装置１本体のキャップ保持部３１により、脱着可能に保持される。
【００３９】
図４は、穿刺キャップ７付近の断面図である。穿刺キャップ７はキャップ保持部３１に取り付けられており、キャップ保持部３１は弾性体であるバネ３２を介して外殻を構成するケース３３に保持されている。このような構成により、穿刺キャップ７の部分を肌に押し当てると、バネ３２の弾力によりキャップ保持部３１がケース３３の内側に向かってスライドするように構成されている。
【００４０】
すなわち、通常、穿刺キャップ７はバネ３２により外側に押されているが、つば３５がケース３３に当たるため飛びでない状態となっており、穿刺キャップ７を肌に押し当てると押し当てた力で穿刺キャップ７がケースの内側にへこみ、バネ圧で肌への押圧が一定に保たれる。このバネ圧を適正に調整しておけば、センサー電極２１が肌に一定の押圧で接することとなり、測定の安定性が向上する。
【００４１】
次に動作を説明する。図５は、本発明の実施形態にかかるレーザ穿刺装置１の使用フローを示す。まず使用者が動作スイッチ５を押す（ステップＳ１１）とレーザ穿刺装置１が始動を始める。次に、使用者は、はじめてレーザ穿刺装置１を使用する場合に（ステップＳ１２のＮｏ）、年齢・性別・人種・肌質（厚い・硬い・薄い・柔らかい）等の属性を、設定ボタン４を使用して入力する（ステップＳ１３）。入力後、使用者は穿刺箇所である指を穿刺キャップ７に強く押し込み、目一杯まで押し付ける（ステップＳ１４）。すると皮膚の水分量測定が開始される（ステップＳ１５）。
【００４２】
皮膚の水分量測定後、先の入力情報と皮膚の水分量測定結果よりレーザ穿刺条件である、レーザパルス光エネルギーを設定する（ステップＳ１６）。設定の考え方を図６に示す。まず、入力条件によって大まかなレーザパルス光エネルギーの比例関数が準備されているので、それに従ってレーザパルス光エネルギーを設定する。
【００４３】
図６（ａ）は、入力条件に従ってレーザパルス光エネルギーを設定する方法を示す概略図である。同図に示すように、レーザパルス光エネルギーは、年齢が低いか高いか、性別が女性か男性か（２値）、白色人種か黄色人種か黒色人種か（肌の色）、肌質が薄い厚いかまたは柔らかいか硬いかに応じて予め準備されている。この関係には，比例、累乗、指数関係が可能である。
【００４４】
図６（ｂ）は、皮膚の水分量測定結果に基づき、レーザパルス光エネルギーを補正する場合の説明図である。上記の入力条件に従って設定された値に対して、皮膚の水分量測定結果に基づいて同図の上下方向の補正（調整）が行われ、照射されるレーザパルス光エネルギーが決定される。このとき、水分量が多い場合には下方向に補正され、レーザパルス光エネルギーが低くなるように補正される。
【００４５】
補正完了後、ディスプレー３にスタンバイが表示され、使用者が動作スイッチ５をもう一回押す（ステップＳ１７）とレーザ発振器９はレーザパルス光を発振し、発振されたレーザ光は集光レンズ１２で集光され、中空の穿刺キャップ７内でそのビーム径を細くしながら、使用者の指の皮膚に集光されレーザ光が皮膚に吸収され、皮膚が加熱・蒸発することで穿刺を行なう（ステップＳ１８）。
【００４６】
穿刺により皮膚の表皮と真皮のごく表面が蒸発し、真皮の例えば真皮乳頭内の毛細血管が損傷し血液が滲み出し、穿刺された孔を通って血液が皮膚の表面に染み出す。なお、同一使用者が以降も使用する場合には、前の入力条件が保存されているので二回目以降（ステップＳ１２のＹｅｓ）は、皮膚の水分量測定からスタートする。
【００４７】
これにより、レーザパルス光エネルギーの個人差および日々変動、日内変動に影響されることなく、確実な採血を使用者が事前に非採血のレーザ穿刺を行なうことなく簡便に実現することが出来る。
【００４８】
図７（ａ）は、本発明の実施形態にかかるレーザ穿刺装置１において、水分量を測定するセンサー電極２１が穿刺キャップ７以外のレーザ穿刺装置１の表面に配置されている例である。この場合は、穿刺を行なう前に指先を水分量測定用センサー電極２１に当て、水分量を測定する。本実施形態のレーザ穿刺装置１によれば、水分量を測定するセンサー電極２１がレーザ穿刺装置１の表面に配置されてので、肌の水分量を簡便に測定することができる。
【００４９】
また、レーザ穿刺装置１内または表面に湿度センサーを配置して、外気の湿度も測定して設定値を決定することも可能である。図７（ｂ）は、本発明の実施形態にかかるレーザ穿刺装置１において、湿度センサー２２をレーザ穿刺装置１の表面に配置した例である。外気の湿度は、肌の水分量に密接に関連しているため、外気の湿度に応じてレーザパルス光エネルギーを補正すれば、採血に適切な最小限のレーザパルス光エネルギーを正確に設定することができる。
【００５０】
図８は、レーザ穿孔時のレーザ穿孔箇所の拡大図である。まず使用者が動作スイッチ５を押すとレーザ穿刺装置１が始動を始める。次に使用者は、設定ボタン４を使用してレーザ穿刺装置１の動作条件を入力する。入力後、使用者は穿刺キャップ７を本体２に挿入し、穿刺箇所である指を穿刺キャップ７に押し付ける。すると皮膚の水分量が測定され、先の入力情報と皮膚の水分量測定結果よりレーザ穿刺条件であるレーザパルス光エネルギーが設定される。
【００５１】
準備完了後、ディスプレー３にスタンバイが表示され、使用者が動作スイッチ５をもう一回押すとレーザ発振器９はレーザパルス光を発振し、発振されたレーザ光は集光レンズ１２で集光され、中空の穿刺キャップ７内でそのビーム径を細くしながら、使用者の指の皮膚に集光されレーザ光が皮膚に吸収され、皮膚が加熱・蒸発することで穿刺を行なう。穿刺により皮膚の表皮と真皮のごく表面が蒸発し、真皮の例えば真皮乳頭内の毛細血管が損傷し血液が滲み出し、穿刺された孔を通って血液が皮膚の表面に染み出す。
【００５２】
この時、集光レンズ保護フィルム６には孔は開かず、他方、皮膚が押し当てられた方の穿刺フィルム８はレーザ光を吸収して孔が開き、この孔を通じて先のレーザ穿刺が行われる。レーザ穿刺時に皮膚の蒸発によって発生したプルームは穿刺フィルム８の孔を通して中空体１３の内部に拡散する。
【００５３】
プルーム内には、皮膚の組織を構成するタンパク質の構成要素であるアミノ酸が分解した揮発性物質が漂っており、レーザ穿孔時の主たる対象である角質層はタンパク質ケラチンの繊維状組織からなり、比較的多く含まれるアミノ酸シスチンの硫黄部分の結合であるシスチン結合により繊維間が結合している。これらアミノ酸が蒸発時に分解することで揮発性の硫黄化合物や窒素化合物が発生し、特に硫黄化合物を人は異臭と感じる。
【００５４】
そこで、穿刺キャップ７の内部はプルームの異臭成分に対する消臭機能を持たせてある。主な硫黄化合物としては、硫化水素やメチルメルカプタンがあげられる。硫化水素は化学吸着剤によって脱臭が可能であり、マンガン、銅、コバルトの複合酸化物を用いることができる。なお、マンガン、銅、亜鉛、コバルトのいずれかを含む酸化物、水酸化物、複合酸化物あるいはその混合物とすることにより、同様に硫化水素に対する強力な化学吸着作用を有する吸着剤とすることができる。
【００５５】
化学吸着剤は、硫化水素を最終的に硫酸塩の形や硫黄単体として化学吸着するものである。また、同じ硫黄系臭気であるメチルメルカプタンを、より閾値の高い二硫化ジメチルに転化する媒作用も有する。この作用のため、脱臭されたのと同等の効果を感じることができる。
【００５６】
さらに、物理吸着剤を担持させておくことにより、二硫化ジメチルを物理吸着作用により除去できるため硫黄化合物を全般的に除去することが可能となる。物理吸着剤として、シリカ分の多い疎水性ゼオライトを用いることができ、その他ゼオライト、セピオライト、シリカ、アルミナ等を用いても同様な効果が得られる。
【００５７】
これら化学吸着剤と物理吸着剤を、集光レンズ保護フィルム６、穿刺フィルム８または穿刺キャップ７の基材に添加する。あるいは、集光レンズ保護フィルム６、穿刺フィルム８または穿刺キャップ７の内部に塗布することも可能である。
【００５８】
また、穿刺フィルム８およびセンサー電極２１は使用者の指と接触するので抗菌性を持たせると好適である。抗菌性は、基材への塗布や練り込みで実施できる。抗菌剤としては、Ａｇ、Ｃｕ、Ｚｎ、Ｎｉ、Ｃｏやその合金、ＴｉＯ２、ＺｎＯ、ＷＯ３等があげられる。なお、抗菌性は穿刺フィルム８およびセンサー電極２１に限らず、穿刺キャップ７の中空体１３または集光レンズ保護フィルム６の外表面に施すことも有益である。
【００５９】
以上説明したように、本実施形態にかかるレーザ穿刺装置１およびレーザ穿刺方法によれば、皮膚の水分量を計測する水分量測定用センサー２１により計測した皮膚の水分量に応じて、レーザパルス光のエネルギーを調整するので、皮膚の水分量の変動に応じて最適なレーザパルス光エネルギーを設定することができ、穿刺テストを行なうことなく、痛みが少なく確実な採血を行なうことができる。
【００６０】
また、年齢、性別、人種または肌質といった使用者の属性を入力する設定ボタン４を備え、設定ボタン４から入力された年齢、性別、人種または肌質に応じて、レーザパルス光のエネルギーを調整するので、皮膚の状態に応じて最適なレーザパルス光エネルギーを設定することができ、痛みが少なく確実な採血を行なうことができる。
【産業上の利用可能性】
【００６１】
本発明は、生体の皮膚をレーザ光により穿刺するレーザ穿刺装置およびレーザ穿刺方法等に有用である。
【図面の簡単な説明】
【００６２】
【図１】本発明の実施形態にかかるレーザ穿刺装置１の概略図
【図２】本発明の実施形態のレーザ穿刺装置１において水分量測定用センサーが設置された穿刺キャップ７の概略図
【図３】本発明の実施形態にかかる穿刺キャップ７を肌にあてがった状態の断面図
【図４】本発明の実施形態にかかる穿刺キャップ７付近の断面図
【図５】本発明の実施形態にかかるレーザ穿刺装置１の使用フローを示す図
【図６】本発明の実施形態において皮膚の水分量測定結果に基づきレーザパルス光エネルギーを補正する場合の説明図
【図７】本発明の実施形態において水分量測定用センサー電極２１および湿度センサー２２をレーザ穿刺装置１の表面に配置した例を示す図
【図８】本発明の実施形態におけるレーザ穿孔時のレーザ穿孔箇所の拡大図
【図９】従来のレーザ穿刺装置の説明図
【符号の説明】
【００６３】
１  レーザ穿刺装置
２  本体
３  ディスプレー
４  設定ボタン
５  動作スイッチ
６  集光レンズ保護フィルム
７  穿刺キャップ
８  穿刺フィルム
９  レーザ発振器
１０  電池
１１  制御基板
１２  集光レンズ
１３  中空体
１４  接続部
１６  皮膚
１９  マイクロコンピュータ
２０  メモリ
２１  水分量測定用センサー電極
２２  湿度センサー
３１  キャップ保持部
３２  バネ
３３  ケース
３５  つば
【図１】
2008194345.tif 000003
【図２】
2008194345.tif 000004
【図３】
2008194345.tif 000005
【図４】
2008194345.tif 000006
【図５】
2008194345.tif 000007
【図６】
2008194345.tif 000008
【図７】
2008194345.tif 000009
【図８】
2008194345.tif 000010
【図９】
2008194345.tif 000011